(57)【要約】【課題】戸の周辺部分に変形を生じた場合でも、敷居から戸が外れることを防止できる戸の外れ止め装置の提供。【解決手段】本発明に係る外れ止め装置１０は、敷居６に案内される乗り場戸３に取付けられ、敷居６の空間部６ａに収容され、敷居６の係合壁７に係合可能な係合部１１と、この係合部１１と一体に上下に伸設され敷居６の溝部６ｂに挿入されて、溝部６ｂの延設方向に移動可能なガイド軸１２と、乗り場戸３に設けられ、ガイド軸１２を保持する保持手段とを有し、保持手段は、係合部１１が敷居６の係合壁７に係合し、さらに引き上げられる力を受けた際に、ガイド軸１２に対する乗り場戸３のガイド軸１２の軸方向への移動を許容させる移動許容手段から成っている。この移動許容手段は例えば、乗り場戸３内に設けたブラケット１４、ばね１５、ワッシャ１６、及びナット１７を含む構成にしてある。【選択図】図５
2014015714.tif 000002
【特許請求の範囲】
【請求項１】
敷居に案内される戸に取り付けられ、
上記敷居の内部に形成される空間部に収納されて上記敷居の延設方向に沿って移動可能に設けられ、引き上げられた際に敷居の上部に形成された係合壁に係合可能な係合部と、この係合部と一体に上下方向に伸設され、上記敷居の上記係合壁に連設される溝部に挿入されて、上記溝部の延設方向に沿って移動可能なガイド軸と、上記戸に設けられ、上記ガイド軸を保持する保持手段とを有し、
上記係合部が上記敷居の上記係合壁に係合することによって上記戸が上記敷居から外れることを防止する戸の外れ止め装置において、
上記保持手段は、上記係合部が上記敷居の上記係合壁に係合し、さらに引き上げられる力を受けた際に、上記ガイド軸に対する上記戸の上記ガイド軸の軸方向への移動を許容させる移動許容手段から成ることを特徴とする戸の外れ止め装置。
【請求項２】
請求項１に記載の戸の外れ止め装置において、
上記戸は空洞部を有し、
上記移動許容手段は、上記戸の上記空洞部に収容されて上下方向に伸縮可能な弾性体を含むことを特徴とする戸の外れ止め装置。
【請求項３】
請求項２に記載の戸の外れ止め装置において、
上記戸は、下端に上記空洞部に連通する穴を有し、
上記ガイド軸は、上記係合部の上に連設され上記戸の上記穴よりも径寸法の大きい太軸部と、この太軸部の上に連設され上記戸の上記穴に挿入される細軸部と、上記太軸部と上記細軸部の境界に位置し上記弾性体の弾性力により上記戸の底面に係止される段部とを有し、
上記弾性体は、上記ガイド軸の上記細軸部に装着され、下端が上記戸の下側部分に係着されるばねから成り、
上記移動許容手段は、上記ガイド軸の上記細軸部に取り付けられ、上記ばねの上端が係着される受け部を含むことを特徴とする戸の外れ止め装置。
【請求項４】
敷居から外れることを防止する外れ止め装置が取り付けられ、上記敷居に案内される戸であって、
上記外れ止め装置は、上記敷居の内部に形成される空間部に収納されて上記敷居の延設方向に沿って移動可能に設けられ、引き上げられた際に敷居の上部に形成された係合壁に係合可能な係合部と、この係合部と一体に上下方向に伸設され、上記敷居の上記係合壁に連設される溝部に挿入されて、上記溝部の延設方向に沿って移動可能なガイド軸と、当該戸に設けられ、上記ガイド軸を保持する保持手段とを有するものから成る戸において、
上記外れ止め装置の上記保持手段は、上記係合部が上記敷居の上記係合壁に係合し、さらに引き上げられる力を受けた際に、上記ガイド軸に対する当該戸の上記ガイド軸の軸方向への移動を許容させる移動許容手段から成ることを特徴とする戸。
【請求項５】
請求項４に係る戸において、
エレベータの乗り場に配置される乗り場戸から成ることを特徴とする戸。
【発明の詳細な説明】
【技術分野】
【０００１】
本発明は、敷居に案内される戸に取り付けられ、地震等により戸の周辺部分が変形したことなどに伴って生じやすい敷居から戸が外れることを防止する戸の外れ止め装置及び戸に関する。
【背景技術】
【０００２】
大規模な地震により建物が変形し、これに応じてスライド式の戸の枠が変形するような状況を生じた際でも、戸が敷居から外れることを防止するようにした技術、すなわち戸の外れ止め装置が特許文献１に開示されている。この従来技術では、上述の戸の枠の変形に伴う戸の開放を防ぐようにしたものである。また、上述の戸がエレベータの乗り場の戸である場合には、戸の外れによる昇降路への人や物などの転落の防止を可能としている。
【０００３】
上述した特許文献１に示される従来の戸の外れ防止装置は、敷居溝、すなわち敷居の内部に形成される空間部に収納されて、敷居の延設方向に沿って移動可能に設けられ、引き上げられた際に敷居の上部に形成された係合壁に係合可能な摺動部、すなわち係合部を備えた構成になっている。また、この従来技術は、摺動部と一体に上下方向に伸設され、係合壁に連設された溝部に挿入され、溝部の延設方向に沿って移動可能なガイドシュー本体、すなわちガイド軸を備えた構成となっている。このガイドシュー本体は、戸の下方部分にねじによって固定されている。すなわち、ねじを介して戸に保持されている。
【０００４】
このように構成される従来技術は、戸が敷居から外れようとするときに、摺動部が敷居の係合壁に係合することによって戸が敷居から外れることを防止しようとするものである。
【先行技術文献】
【特許文献】
【０００５】
【特許文献１】特開２０１１−１３１９７０号公報
【発明の概要】
【発明が解決しようとする課題】
【０００６】
ところで、最近の高層建築物は柔構造となってきており、地震等による建物の変形などによって層間変位角（地震時における建物の水平変位を階高で割った値）は、１／１００ｒａｄとなるように設計されているものが多い。例えばスライド式の戸がエレベータの乗り場出入口に設けられる乗り場戸であって、乗り場出入口に設けられた三方枠の高さが２０００ｍｍの場合には、大きな地震によって乗り場出入口の上下における相対量で２０ｍｍ程度水平方向に対して変形し得ることになる。
【０００７】
このような状況に至った際に、上述した特許文献１に示される従来技術では、摺動部に接続されたガイドシュー本体に過大な力が与えられ、戸の外れ止め装置や敷居の係合壁が損傷する懸念がある。最悪の場合には、係合壁が破損したり、ガイドシュー本体が破断し、戸が敷居から外れてしまう虞もある。
【０００８】
本発明は、上述した従来技術における実状からなされたもので、その目的は、戸の周辺部分に変形を生じた場合でも、敷居から戸が外れることを防止できる戸の外れ止め装置及び戸を提供することにある。
【課題を解決するための手段】
【０００９】
上記目的を達成するために、本発明に係る戸の外れ止め装置は、敷居に案内される戸に取り付けられ、上記敷居の内部に形成される空間部に収納されて上記敷居の延設方向に沿って移動可能に設けられ、引き上げられた際に敷居の上部に形成された係合壁に係合可能な係合部と、この係合部と一体に上下方向に伸設され、上記敷居の上記係合壁に連設される溝部に挿入されて、上記溝部の延設方向に沿って移動可能なガイド軸と、上記戸に設けられ、上記ガイド軸を保持する保持手段とを有し、上記係合部が上記敷居の上記係合部に係合することによって上記戸が上記敷居から外れることを防止する戸の外れ止め装置において、上記保持手段は、上記係合部が上記敷居の上記係合壁に係合し、さらに引き上げられる力を受けた際に、上記ガイド軸に対する上記戸の上記ガイド軸の軸方向への移動を許容させる移動許容手段から成ることを特徴としている。
【００１０】
また、本発明に係る戸は、敷居から外れることを防止する外れ止め装置が取り付けられ、上記敷居に案内される戸であって、上記外れ止め装置は、上記敷居の内部に形成される空間部に収納されて上記敷居の延設方向に沿って移動可能に設けられ、引き上げられた際に敷居の上部に形成された係合壁に係合可能な係合部と、この係合部と一体に上下方向に伸設され、上記敷居の上記係合壁に連設される溝部に挿入されて、上記溝部の延設方向に沿って移動可能なガイド軸と、当該戸に設けられ、上記ガイド軸を保持する保持手段とを有するものから成る戸において、上記外れ止め装置の上記保持手段は、上記係合部が上記敷居の上記係合壁に係合し、さらに引き上げられる力を受けた際に、上記ガイド軸に対する当該戸の上記ガイド軸の軸方向への移動を許容させる移動許容手段から成ることを特徴としている。
【発明の効果】
【００１１】
本発明に係る戸の外れ止め装置及び戸によれば、戸の周辺部分に変形を生じたことに伴って、戸に敷居から離脱させようとする外力が与えられた際には、移動許容手段によってガイド軸に対して戸をガイド軸の軸方向へ移動させて、この移動によって上述の外力を吸収することができる。すなわち本発明は、戸の周辺部分に変形を生じた場合でも、敷居から戸が外れることを防止でき、従来技術に比べて優れた安全性を確保することができる。
【図面の簡単な説明】
【００１２】
【図１】本発明に係る戸の外れ止め装置及び戸の一実施形態を示す側断面図である。
【図２】図１の要部拡大図である。
【図３】本実施形態を縦断面した正面図である。
【図４】乗り場戸が変形した状態を示す乗り場の正面図である。
【図５】図４に示す乗り場戸の変形状態において縦断面した要部正面図である。
【発明を実施するための形態】
【００１３】
以下、本発明に係る戸の外れ止め装置及び戸の実施の形態を図に基づいて説明する。
【００１４】
図１は本発明に係る戸の外れ止め装置及び戸の一実施形態を示す側断面図、図２は図１の要部拡大図、図３は本実施形態を縦断面した正面図である。
【００１５】
本実施形態に係る戸は、例えばエレベータの乗り場戸３から成っている。図１に示すように、乗り場の床１上に出入口を形成する三方枠２を設けてあり、この三方枠２部分に、空洞部３ａを有し開閉可能な例えば両開きの乗り場戸３を配置してある。昇降路壁４に打設されたブラケット５上に敷居６を固定してあり、乗り場戸３は敷居６に案内されて、敷居６の延設方向に沿ってスライド可能となっている。
【００１６】
乗り場戸３が敷居６から外れることを防止する本実施形態に係る乗り場戸３の外れ止め装置１０は、乗り場戸３の下方部分に設けてある。
【００１７】
この外れ止め装置１０は、敷居６の内部に形成される空間部６ａに収納されて敷居６の延設方向に沿って移動可能に設けられ、引き上げられた際に敷居６の上部に形成された係合壁７に係合可能な係合部１１を有している。また、外れ止め装置１０は、係合部１１と一体に上下方向に伸設され、敷居６の係合壁７に連設される溝部６ｂに挿入されて、溝部６ｂの延設方向に沿って移動可能なガイド軸１２と、乗り場戸３に設けられ、ガイド軸１２を保持する保持手段とを有している。
【００１８】
図２に示すように、係合部１１の幅寸法Ａは、敷居６の空間部６ａの幅寸法Ｂよりも小さく、敷居６の溝部６ｂの幅寸法Ｃよりも大きく設定してある。
【００１９】
同図２に示すように、乗り場戸３は、下端に空洞部３ａに連通する穴３ｂを有している。ガイド軸１２は、係合部１１の上に連設され、敷居６の溝部６ｂの幅寸法よりも小さく、乗り場戸３の穴３ｂよりも径寸法の大きい太軸部１２ａと、この太軸部１２ａの上に連設され乗り場戸３の穴３ｂよりも径寸法が小さく、穴３ｂに挿入される細軸部１２ｂと、太軸部１２ａと細軸部１２ｂの境界に位置し、乗り場戸３の底面３ｃに係止される段部１２ｃとを有している。
【００２０】
ガイド軸１２を保持する上述の保持手段は、係合部１１が敷居６の係合壁７に係合し、さらに引き上げられる力を受けた際に、ガイド軸１２に対する乗り場戸３のガイド軸１２の軸方向の移動を許容させる移動許容手段から成っている。
【００２１】
この移動許容手段は、例えば乗り場戸３の空洞部３ａ内に配置されるブラケット１４と、このブラケット１４上に配置されて上下方向に伸縮可能な弾性体、例えばばね１５と、ガイド軸１２の細軸部１２ｂに取付けられ、ばね１５の上端が係着される受け部とを含んでいる。
【００２２】
ブラケット１４は、例えば側面視がコ字状に形成され、乗り場戸３の空洞部３ｃの底部に固定してあり、その上側部分及び下側部分のそれぞれにガイド軸１２の細軸部１２ｂが挿通する穴を有している。ばね１５は、ガイド軸１２の細軸部１２ｂに装着され、下端が乗り場戸３の下側部分、例えばブラケット１４に係着されている。ばね１５の上端が係着される上述の受け部は、細軸部１２に取り付けられるワッシャ１６と、このワッシャ１６の上側に配置され、細軸部１２のねじ部１２ｂ１に螺合するナット１７とから成っている。
【００２３】
上述のように外れ止め装置１０の係合部１１の幅寸法Ａを敷居６の溝部６ｂの幅寸法Ｃより大きく設定し、また、ガイド軸１２の太軸部１２ａの径寸法を敷居６の溝部６ｂの幅寸法よりも小さく設定してあることから、ガイド軸１２が引き上げられた際に、係合部１１は敷居６の係合壁７と係合可能となっている。
【００２４】
また、乗り場戸３の底面３ｃに設けた細軸部１２ｂを通過させる穴３ｂの径寸法を、細軸部１２の径寸法より大きく、太軸部１２の径寸法よりも小さく設定し、ばね１５、ワッシャ１６、及びナット１７を介してガイド軸１２を吊持することにより、通常状態にあっては係合部１１が、敷居６の係合壁７に接触しない状態に保持されて、乗り場戸３の開閉に伴い敷居６の空間部６ａ内を移動するようになっている。
【００２５】
上述した構成の外れ止め装置１０は、乗り場戸３の下端部分の少なくとも両端部付近に２個以上、例えば乗り場戸３の高さによる変形量や建物の層間変位角が大きく想定されることを考慮して、図３に示すように、両端部付近を含めて３個設けてある。また、これらの外れ止め装置１０の相互の間隔は例えば均等に設定してある。このように外れ止め装置１０を設けたことにより、過大な力を受けて外れ止め装置１０が仮に１個破損したとしても、破損していない他の外れ止め装置１０によって乗り場戸３の敷居６からの脱落、乗り場戸３の回転等の発生を抑制することができる。
【００２６】
図４は乗り場戸が変形した状態を示す乗り場の正面図、図５は図４に示す乗り場戸の変形状態において縦断面した要部正面図である。
【００２７】
図４に示すように、地震等により建物に例えば矢印２０方向の外力が与えられ、この建物の層間変形が生じた際に、建物に亀裂２１ａ，２１ｂが発生し、これらの亀裂２１ａ，２１ｂに伴って乗り場の出入口を形成する三方枠２が変形して、乗り場戸３の下部に敷居６から離脱する部位２２が生じることが起こり得る。すなわち、乗り場戸３が傾くことが起こり得る。
【００２８】
上述のような三方枠２の変形により乗り場戸３が傾いたときには、図５に示すように、本実施形態に係る外れ止め装置１０を備えた乗り場戸３においては、乗り場戸３の内部に設けたブラケット１４、ばね１５、ワッシャ１６、及びナット１７を介してガイド軸１２が引き上げられる。これに伴ってガイド軸１２の下端に設けた係合部１１が敷居６の係合壁７に係合し、これによって乗り場戸３が敷居６から外れることを防止できる。また、さらなる乗場戸３の傾きに伴って、ガイド軸１２を介して係合部１１に、この係合部１１が引き上げられる力を受けたときには、ばね１５が収縮し、ガイド軸１２に対する乗り場戸３のガイド軸１２の軸方向への移動が許容される。すなわち、ガイド軸１２に与えられる外力を、ガイド軸１２に対する乗り場戸３の移動によって吸収することができる。
【００２９】
したがって、乗り場戸３に傾きを生じるもののガイド軸１２の下端に設けた係合部１１と敷居６の係合壁７との係合状態が継続して保たれ、乗り場戸３が敷居６から外れることを防止できる。
【００３０】
このように、本実施形態に係る乗り場戸３の外れ止め装置１０、及び乗り場戸３によれば、スライド式の乗り場戸３の周辺部分を形成する三方枠２が変形し、乗り場戸３が傾くような建物の変形が発生しても、乗り場戸３が敷居３から脱落したり、乗り場戸３が回転したりして、この乗り場戸３が開放されてしまうことを防ぐことができる。すなわち、大地震などの災害発生時に建物が変形した際にも、乗り場戸３が開放されず、この乗り場戸３部分から乗り場の人や物が昇降路に転落する等の二次災害を防ぐことができる。
【００３１】
また、乗り場戸３のガイド軸１２の軸方向への移動を許容させる移動許容手段は、乗り場戸３内に設けたブラケット１４、ばね１５、ワッシャ１６、及びナット１７を含む程度の簡単な構成であることから、製作及び入手が容易で実用性に富む。
【００３２】
なお、本発明に係る戸は、上述した乗り場戸３には限られない、敷居上をスライド可能な戸であれば、いずれにも適用することができる。また逆に、本発明に係る戸の外れ止め装置は、上述した乗り場戸３に設けることには限られない。敷居上をスライド可能な戸であれば、いずれの戸にも設けることが可能である。
【符号の説明】
【００３３】
１    床
２    三方枠
３    乗り場戸
３ａ  空洞部
３ｂ  穴
３ｃ  底面
４    昇降路壁
５    ブラケット
６    敷居
６ａ  空間部
６ｂ  溝部
７    係合壁
１０    外れ止め装置
１１    係合部
１２    ガイド軸
１２ａ  太軸部
１２ｂ  細軸部
１２ｂ１  ねじ部
１２ｃ  段部
１４    ブラケット
１５    ばね（弾性体）
１６    ワッシャ
１７    ナット
【図１】
2014015714.tif 000003
【図２】
2014015714.tif 000004
【図３】
2014015714.tif 000005
【図４】
2014015714.tif 000006
【図５】
2014015714.tif 000007